(57)【要約】【課題】カーテンウォール構造において、太陽電池モジュールに取り付けた端子箱およびその配線は、端子箱および複数の端子を接続する配線が複雑に露出して室内から見える状態であり外観上問題があった。【解決手段】太陽電池モジュールの一側に導電部の係止部を形成し、その係止部に端子を取り付け、連続する太陽電池モジュールの目地に、前記端子を隠す幅があって両側に止水片を形成した閉止部と、その閉止部の内側中央に目地内に挿入する脚部を有し、その脚部の端部に目地端に係止固定させる固定係止部を形成した目地ガスケットを取り付けることによって前記端子を隠すと共にその目地ガスケット内に各端子からの各配線を納めて導くようにすると共に上記固定係止部を覆う幅の本体の両側に止水片を有し、中央に上記脚部に設けた係止溝に係止する係止突起を有するカバーで固定係止部を覆うことを特徴とする。【選択図】図１
2010103567.tif 000002
【特許請求の範囲】
【請求項１】
太陽電池モジュールの一側に導電部の係止部を形成し、その係止部に端子を取り付け、連続する太陽電池モジュールの目地に、前記端子を隠す幅があって両側に止水片を形成した閉止部と、その閉止部の内側中央に目地内に挿入する脚部を有し、その脚部の端部に目地端に係止固定させる固定係止部を形成した目地ガスケットを取り付けることによって前記端子を隠すと共にその目地ガスケット内に各端子からの各配線を納めて導くようにすると共に上記固定係止部を覆う幅の本体の両側に止水片を有し、中央に上記脚部に設けた係止溝に係止する係止突起を有するカバーで固定係止部を覆うことを特徴とする太陽電池モジュール間の配線構造。 
【発明の詳細な説明】
【技術分野】
【０００１】
本発明は、カーテンウォールの壁面等に取り付ける太陽電池モジュール間の配線構造に関する。
【背景技術】
【０００２】
連続する太陽電池モジュール間を接続する電気配線は、図７の部分説明図および図８の全体説明図に示す如く、各太陽電池モジュール１００に接続する端子箱１０１は大きな形状で、各太陽電池モジュール１００の裏面に接続してあると共にその各太陽電池モジュール１００を接続する配線１０２が複雑に露出して室内から非常に見苦しいものとなっている。
【０００３】
そこで、近時、太陽電池モジュールの端部に取り付けることができる端子が開発されて室内から大きな端子箱が見えないような構造がとれるようになった。
【発明の概要】
【発明が解決しようとする課題】
【０００４】
しかしながら、小さい端子とはいえ、各太陽電池モジュールに取り付けると外観上目障りとなり、しかも複数の端子を接続する配線が複雑に露出することが防げず、その複雑な配線が室内から見える状態は解決できないという問題があった。
【課題を解決するための手段】
【０００５】
そこで、本発明は、太陽電池モジュールの一側に導電部の係止部を形成し、その係止部に端子を取り付け、連続する太陽電池モジュールの目地に、前記端子を隠す幅があって両側に止水片を形成した閉止部と、その閉止部の内側中央に目地内に挿入する脚部を有し、その脚部の端部に目地端に係止固定させる固定係止部を形成した目地ガスケットを取り付けることによって前記端子を隠すと共にその目地ガスケット内に各端子からの各配線を納めて導くようにすると共に上記固定係止部を覆う幅の本体の両側に止水片を有し、中央に上記脚部に設けた係止溝に係止する係止突起を有するカバーで固定係止部を覆うことを特徴とする。
【発明の効果】
【０００６】
このようにした本発明によると、太陽電池モジュールの一側端に導電部の係止部を形成し、その係止部に端子を取り付け、連続する太陽電池モジュールの目地に取り付けた目地ガスケット内に各端子からの各配線を納めて導いたことにより、各端子はガスケットによって隠され、各端子からの各配線は目地ガスケット内に納められて隠されることになり、カーテンウォールの壁面等に取り付けた太陽電池モジュールが外観上良好となり、内側から見ても見苦しくないという効果が得られる。
【０００７】
また、各端子および各配線は目地に取り付けたガスケットによって隠されているだけであるために、その取り付け作業性に優れ、保守、点検も用意となる効果を有する。
【図面の簡単な説明】
【０００８】
【図１】端子の接続状態を示す説明図
【図２】太陽電池モジュールの配線状態を示す部分説明図
【図３】太陽電池モジュールの配線状態を示す全体説明図
【図４】配線状態を示す拡大断面図
【図５】端子の接続状態を示す説明図
【図６】配線状態を示す拡大断面図
【図７】従来例の太陽電池モジュールの配線状態を示す部分説明図
【図８】太陽電池モジュールの配線状態を示す全体説明図
【発明を実施するための形態】
【０００９】
以下、図面を参照して本発明による実施例を説明する。
【００１０】
実施例１
図１は端子の接続状態を示す説明図、図２は太陽電池モジュールの配線状態を示す部分説明図、図３は太陽電池モジュールの配線状態を示す全体説明図、図４は配線状態を示す拡大断面図であり、図において、１は太陽電池モジュールであり、その一側の導電部２に係止部３を形成し、その係止部３に端子４が取り付けてある。
【００１１】
この端子４の係止部３の状態は、図１に示す如く、太陽電池モジュール１の導電部２のガラス５に端子４が設置できる幅の段差部６を形成して係止部３とし、その段差部６に設置するように取り付ける。このように太陽電池モジュール１の厚さ内に端子４を納めたもので、端子４が太陽電池モジュール１表面に突出しないかわずかに突出する程度に取り付けてある。
【００１２】
このように各太陽電池モジュール１に取り付けた端子４からの各配線７は、図４に示す如く、端子４から各配線を目地ガスケット８内に納める。
【００１３】
上記目地ガスケット８は、例えば、図示する如く、取り付けた端子４を隠すための幅があり、しかも止水片１１を両側に形成した閉止部１２とその閉止部１２の中央に目地内に挿入する脚部１３を有し、その脚部１３の端部に目地端に係止固定する固定係止部１４を設けた構造である。
【００１４】
さらに、その固定係止部１４を覆うカバー１５が設けてある。このカバー１５は、例えば、固定係止部１４を覆う幅の本体の両側に止水片１６を有し、中央に上記脚部１３に設けた係止溝１７に係止する係止突起１８を有した構造である。
【００１５】
なお、上記の説明は、各太陽電池モジュール１に形成した係止部３は目地を挟んで向かい合わせに形成して端子４を対向配置した場合で説明を行ったが、従来の図８に示す如く、それぞれ同一側に係止部を形成して端子を取り付けた構造においても全く同様に目地ガスケット８内に納めることができる。
【００１６】
以上の構成によると、太陽電池モジュール１の一側の導電部２に形成した段差部６に取り付けた端子４は、外観上目地ガスケット８内に納まり、しかも、端子４からの配線７はその目地ガスケット８内に納まることにより、端子４および配線７はすべて目地ガスケット８によって隠され、外観上見えないことになる。また、各ガスケットは目地に着脱が容易であるために、保守、点検に際しても作業上の障害はない。
実施例２
図５は端子の接続状態を示す説明図、図６は配線状態を示す拡大断面図であり、図において、１は太陽電池モジュールであり、その一側の導電部２に係止部３を形成し、その係止部３に端子４が取り付けてある。
【００１７】
この端子４の係止部３の状態は、図５に示す如く、太陽電池モジュール１の導電部２のガラス５に端子が設置できる程度の切り欠２２を形成して係止部３とし、その切り欠２２内に納まるように端子４を取り付ける。このように本実施例も太陽電池モジュール１の厚さ内に端子４を納めたもので、端子４が太陽電池モジュール１表面に突出しないかわずかに突出する程度に取り付けてある。
【００１８】
このように各太陽電池モジュール１に取り付けた端子４からの各配線７は、図６に示す如く、端子４から各配線を目地ガスケット８内に納める。
【００１９】
上記において、係止部３の状態以外は、目地ガスケットやカバー等は上記実施例１と同様であるために説明は省略する。
【００２０】
この構成によっても上記実施の形態例と同様に、太陽電池モジュール１の一側の導電部２に形成した切り欠２２に取り付けた端子４は、外観上目地ガスケット８内に納まり、しかも、端子４からの配線７はその目地ガスケット８に納まることにより、端子４および配線７はすべて目地ガスケット８によって隠され、外観上見えないことになる。また、ガスケットは目地に着脱が容易であるために、保守、点検に際しても作業上の障害はない。
【００２１】
以上詳細に説明した本発明によると、太陽電池モジュールの一側端に導電部の係止部を形成し、その係止部に端子を取り付け、連続する太陽電池モジュールの目地に取り付けた目地ガスケット内に各端子からの各配線を納めて導いたことにより、各端子は目地ガスケットによって隠され、各端子からの各配線は目地ガスケット内に納められて隠されることになり、カーテンウォールの壁面等に取り付けた太陽電池モジュールが外観上良好となり、内側から見ても見苦しくないという効果を有する。
【００２２】
また、各端子および各配線は目地に取り付けたガスケットによって隠されているだけであるために、その取り付けの作業性に優れ、保守、点検も容易となる効果を有する。
【符号の説明】
【００２３】
１    太陽電池モジュール
２    導電部
３    係止部
４    端子
５    ガラス
６    段差部
７    配線
８    目地ガスケット
１１  止水片
１２  閉止部
１３  脚部
１４  固定係止部
１５  カバー
１６  止水片
１７  係止溝
１８  係止突起
２２  切り欠
【図１】
2010103567.tif 000003
【図２】
2010103567.tif 000004
【図３】
2010103567.tif 000005
【図４】
2010103567.tif 000006
【図５】
2010103567.tif 000007
【図６】
2010103567.tif 000008
【図７】
2010103567.tif 000009
【図８】
2010103567.tif 000010